(57)【要約】【課題】保冷・保温機能があり、かつ、口を閉じたり手に提げて持ち歩いたりし易く、かつ、紐の部分の強度も高めた巾着袋を提供する。【解決手段】中央にアルミ蒸着フィルムが縞状に接着された不織布積層体８から、両端が不織布のみの耳部となっている帯状のカットシート２０を切り出す。この帯状カットシート２０を、不織布側を外にして両端の耳部２１，２１を内へと折り畳み（Ａ）、次に、折り畳み線３１，３１同士を合わせる様に内へ二つ折りにし（Ｂ）、さらに、このとき形成される折り目３２の部分を所定範囲に渡って谷折りに折り返す（Ｃ）。その後、左右側面を熱融着させて袋体とし（Ｄ）、開口側に紐通し用の孔３３を開ける（Ｅ）。最後に、紐通し用の孔３３に巾着結び用の紐４１を通し、底板４２を入れて巾着袋４０が完成する（Ｆ）。【選択図】  図４
0003140178.tif 000002
【実用新案登録請求の範囲】
【請求項１】
不織布シートにアルミ蒸着フィルムを接着した不織布積層体で形成され、以下の構成を有することを特徴とする巾着袋。
（１）前記不織布積層体は、不織布シートに対してアルミ蒸着フィルムが縞状に塗布された接着剤を介して縞状接着部の間に帯状非接着部が残る様に部分的に接着されたものであり、該アルミ蒸着フィルムが接着された部分の外側に不織布単体で残存する耳部をも備えていること。
（２）前記不織布積層体を、両端に耳部が残った帯状シートとし、不織布側を外にして前記両端の耳部を内へと折り畳んだ後に該折り畳み線同士を合わせる様に二つ折りにし、折り目の部分を所定範囲谷折りに折り返した後に、左右側面を熱融着させて袋体とし、開口側に紐通し用の孔を開け、巾着結び用の紐を通してあること。
【請求項２】
さらに、以下の構成をも備えていることを特徴とする請求項１記載の巾着袋。
（３）前記不織布積層体は、その縞状接着部の方向が巾着袋の幅方向となる様に用いられていること。
（４）前記耳部を内へと折り曲げる際に、アルミ蒸着フィルムの積層部分の一部も内側へ折り曲げること。
【考案の詳細な説明】
【技術分野】
【０００１】
本考案は、断熱性を備え、保冷・保温用として使用することのできる巾着袋に関する。
【背景技術】
【０００２】
従来、食料品を購入して持ち帰る際の鮮度等の低下を防止するために、ポリエステルフィルムにアルミニウム粉末を蒸着したシート素材と、発泡ポリエチレンのシート素材とをラミネート加工により一体にした複合素材を方形及び類似形の所要平面積に裁断した風呂敷の提案（特許文献１）や、アルミ蒸着面に保護プラスチックフィルムを被覆したアルミ蒸着プラスチックフィルムのフィルム面と不織布とを張り合わせた断熱ラミネートシート材によりアルミ蒸着面を外面又は内面とした手提げ袋の提案（特許文献２）がなされている。
【特許文献１】登録実用新第３０２９７８７号公報
【特許文献２】特開平１０−２５８８８２号公報
【考案の開示】
【考案が解決しようとする課題】
【０００３】
特許文献１の保冷・保温機能を備えた風呂敷は、通常の風呂敷の様に隅を縛って持ち手を形成することが困難で使い勝手が悪いという問題がある。特許文献２の手提げ袋は全体に柔軟性がないことから食品等の収納性が悪く、また、別途取り付ける持ち手が必要など、製造コストも上昇するという問題がある。
【０００４】
そこで、本願は、保冷・保温機能があり、かつ、口を閉じたり手に提げて持ち歩いたりし易く、かつ、紐の部分の強度も高めた巾着袋を提供することを目的とする。
【課題を解決するための手段】
【０００５】
上記目的を達成するためになされた本考案の巾着袋は、不織布シートにアルミ蒸着フィルムを接着した不織布積層体で形成され、以下の構成を有することを特徴とする。
（１）前記不織布積層体は、不織布シートに対してアルミ蒸着フィルムが縞状に塗布された接着剤を介して縞状接着部の間に帯状非接着部が残る様に部分的に接着されたものであり、該アルミ蒸着フィルムが接着された部分の外側に不織布単体で残存する耳部をも備えていること。
（２）前記不織布積層体を、両端に耳部が残った帯状シートとし、不織布側を外にして前記両端の耳部を内へと折り畳んだ後に該折り畳み線同士を合わせる様に二つ折りにし、折り目の部分を所定範囲谷折りに折り返した後に、左右側面を熱融着させて袋体とし、開口側に紐通し用の孔を開け、巾着結び用の紐を通してあること。
【０００６】
本考案の巾着袋は、アルミ蒸着フィルムが接着されずに不織布シートのままの耳部を備えた帯状シートを用いているので、口の部分を二重にし易い。よって、紐通し孔を形成して紐を通す場合に、紐通し孔の部分が二重になって補強される。また、内側に折られた不織布のみの耳の部分は変形し易いので、紐を引いて口を締めるときにスムーズに口を閉じることができる。そして、不織布シートとアルミ蒸着フィルムは、一方向に縞状に伸びる接着剤で接着されており、全面接着ではないから、袋全体としても不織布シートの柔軟性を保持し、かつ、空気層が残ることによる断熱効果の向上も期待できる。
【０００７】
ここで、本考案の巾着袋は、さらに、以下の構成をも備えることができる。
（３）前記不織布積層体は、その縞状接着部の方向が巾着袋の幅方向となる様に用いられていること。
（４）前記耳部を内へと折り曲げる際に、アルミ蒸着フィルムの積層部分の一部も内側へ折り曲げること。
【０００８】
かかる構成をも採用することで、巾着の口の部分はアルミ蒸着フィルムの積層部分の一部を折り曲げた状態となり、口の強さが増す。しかし、一部のみであるから、上述した様な紐を締めたときの口の締まりを妨げることはない。
【考案の効果】
【０００９】
本考案によれば、保冷・保温機能があり、かつ、口を閉じたり手に提げて持ち歩いたりし易く、かつ、紐の部分の強度も高めた巾着袋を提供することができる。
【考案を実施するための最良の形態】
【００１０】
次に、本考案の実施形態として、まず、不織布積層体の製造方法を、図１を参照しながら説明する。実施形態としての不織布積層体の製造方法では、まず、所定幅を有する不織布ロール１と、不織布ロール１よりも狭い幅のアルミ蒸着フィルムロール２とを用意する。そして、不織布ロール１とアルミ蒸着フィルムロール２とを互いの幅方向中心が一致する様に配置し、それぞれから素材３，４を繰り出す。こうして各ロール１，２から繰り出された素材３，４間に、接着剤滴下装置５から、溶融した接着剤６を縞状に垂らしつつ冷却ローラー組７の間に挟み込んで接着する。そして、冷却ローラー組７から繰り出される積層体８を巻き取って積層体ロール９とする。
【００１１】
こうして製造された不織布積層体８は、図２に示す様に、両端から所定幅Ｂに渡って不織布シート３のみとなり、中央にアルミ蒸着フィルム４が接着されたものとなる。また、この不織布積層体８においては、長手方向に縞状に接着線１０が形成され、不織布シート３とアルミ蒸着フィルム４の重なっている範囲の全部は接着されてはいない。よって、接着線１０同士の間には、通気性のある不織布シート３を介して侵入する空気を受け入れることができる。
【００１２】
また、この不織布積層体８から、図３に示す様に、帯状のカットシート２０を切り出す。この帯状のカットシート２０は、両端が不織布のみの耳部２１，２１となっており、中央部分がアルミ蒸着フィルムの積層部２２となっている。
【００１３】
この帯状カットシート２０を、図４に示す様に、不織布側を外にして両端の耳部２１，２１を積層部２２の端部近くの一部を折り曲げ線として内へと折り畳み（Ａ→Ｂ）、次に、折り畳み線３１，３１同士を合わせる様に内へ二つ折りにし（Ｂ→Ｃ）、さらに、このとき形成される折り目３２の部分を所定範囲に渡って谷折りに折り返す（Ｃ→Ｄ）。その後、左右側面を熱融着させて袋体とし（Ｅ）、開口側に紐通し用の孔３３を開ける（Ｆ）。最後に、紐通し用の孔３３に巾着結び用の紐４１を通し、底板４２を入れて巾着袋４０が完成する（Ｇ，Ｈ）。
【００１４】
以上、考案の実施形態並びに実施例を説明したが、本考案は、これに限定されるものではなく、その要旨を逸脱しない範囲内における種々の変更が可能である。
【図面の簡単な説明】
【００１５】
【図１】実施形態としての不織布積層体の製造方法を説明する模式図である。
【図２】実施形態としての不織布積層体の平面図である。
【図３】実施形態としての巾着袋を製造するためのカットシートの切り出し方法を示す説明図である。
【図４】実施形態としての巾着袋の製造手順を示す説明図である。
【００１６】
１・・・不織布ロール
２・・・アルミ蒸着フィルムロール
３・・・不織布シート
４・・・アルミ蒸着フィルム
５・・・接着剤滴下装置
６・・・接着剤
７・・・冷却ローラー組
８・・・不織布積層体
９・・・積層体ロール
１０・・・接着線
２０・・・カットシート
２１・・・耳部
２２・・・積層部
３１・・・折り畳み線
３２・・・折り目
３３・・・紐通し用の孔
４０・・・巾着袋
４１・・・紐
４２・・・底板
【図１】
0003140178.tif 000003
【図２】
0003140178.tif 000004
【図３】
0003140178.tif 000005
【図４】
0003140178.tif 000006